(57)【要約】【課題】ベッドサイドモニタ等の生体情報表示装置において、複数種の生体情報と、１つの同期マークが表示されている場合、同期マークがどの生体情報に対応しているのかがわかりにくかった。【解決手段】同期マークを生成しうる生体情報の種別毎に個別の同期マーク２４〜２７を設け、どの生体情報に基づいて同期マークが生成されているかに応じていずれか１つの同期マークを表示する。この際、同期マークの表示色を対応する生体情報の表示色と等しくすることにより、対応が明確に把握できる。【選択図】  図２
2004194996.tif 000002
【特許請求の範囲】
【請求項１】
入力される複数の生体情報のうち、予め設定された複数の生体情報を同時に表示可能な生体情報表示装置であって、
前記表示する複数の生体情報を表示する情報表示手段と、
前記情報表示手段が表示する複数の生体情報の所定の１つに基づいて、当該所定の生体情報の所定状態を示す同期マークの表示を行う同期表示手段とを有し、
前記情報表示手段が、前記生体情報の種類に対応して予め定められた色分け表示を行うとともに、前記同期表示手段が、前記同期マークの表示色を、当該同期表示の元となる前記所定の生体情報の表示色に等しい表示色とすることを特徴とする生体情報表示装置。
【請求項２】
前記同期マークが、前記同期表示の元となる前記所定の生体情報に応じて異なる形状を有することを特徴とする請求項１に記載の生体情報表示装置。
【請求項３】
複数の患者に関する生体情報を同時に表示可能な生体情報表示装置であって、
前記複数の患者毎に、予め設定された生体情報を表示する情報表示手段と、
前記複数の患者毎に、前記表示手段が表示する生体情報に基づいて、当該生体情報の所定状態を示す同期マークの表示を行う同期表示手段とを有し、
前記同期表示手段が、ユーザによって入力される、前記複数の患者のいずれかを選択する選択指示に基づき、選択された患者に対応する前記同期マークの表示輝度よりも、他の患者に対する前記同期マークの表示輝度を低下させることを特徴とする生体情報表示装置。
【請求項４】
前記情報表示手段もしくは、前記同期表示手段が、前記複数の患者の固有情報をさらに表示するとともに、前記選択指示に基づいて、前記選択された患者の固有情報の表示と、他の患者の固有情報の表示とを異ならせることを特徴とする請求項３記載の生体情報表示装置。
【請求項５】
前記同期表示手段が、前記同期表示の元となる前記所定の生体情報の波形の特徴点に基づいて前記同期マークの表示を行うことを特徴とする請求項１乃至請求項４のいずれか１項に記載の生体情報表示装置。
【請求項６】
前記同期マークが、前記特徴点に対応して表示され、他の状態では表示されないことを特徴とする請求項５記載の生体情報表示装置。
【請求項７】
前記同期マークの表示に対応して同期音を発生する同期音発生手段を更に有することを特徴とする請求項１乃至請求項６のいずれか１項に記載の生体情報表示装置。
【発明の詳細な説明】
【０００１】
【発明の属する技術分野】
本発明は、生体情報表示装置に関し、特に複数の生体情報を同時に表示するのに好適な生体情報表示装置に関する。
【０００２】
【従来の技術】
生体情報モニタに代表される生体情報表示装置には、心電波形や血圧波形、呼吸波形、脈波波形を始めさまざまな生体情報を表示する機能が組み込まれている。これら生体情報のうち、周期的に変化する情報、例えば心電波形を表示する場合、波形の特徴点（心電波形では例えばＲ波）に対応したタイミングでマーク（同期マーク）表示を行うものが知られている。
【０００３】
同期マーク表示を行うことにより、観察者は波形表示を見続けることなく、その生体情報の状態（例えば、心電波形であれば拍動）の大まかな動向を把握することが可能となるため、非常に有用である。
【０００４】
同期マークの表示は、患者毎に配置されるベッドサイドモニタでも有用であるが、特に多くの患者の生体情報を一度にモニタリングするセントラルモニタにおいて非常に有用な機能である。
【０００５】
【発明が解決しようとする課題】
このような同期マーク表示は、複数の生体情報波形を表示する機能を有する装置であっても、通常いずれか１つの波形に対応して表示される。しかしながら従来の生体情報装置においては、複数の生体情報の波形と同期マークが表示されている場合に、同期マークがどの波形に対応しているのかを明確かつ容易に把握することができなかった。
【０００６】
すなわち、一般に同期マークは心電波形の所定部位（Ｒ波等）を検出し、そのタイミングで表示されることが多いため、同期マークの表示位置は心電波形に関する情報が表示される領域内にあることが多い。しかし、患者が胸部に火傷を負っているなどの理由により心電図電極が装着できない場合など、心電波形が取得できない場合はもちろん、心電波形が正常に得られる場合であっても、他の生体情報（指先等で検出される脈波や、観血的に測定される動脈圧等）に同期させて同期マークを表示する機能を有する装置も存在する。このような装置においては、同期マークが表示されているからといって、必ずしも心電波形に対応しているとは限らないが、従来は同期マークがどの波形に対応しているのかを明確かつ容易に知ることができなかった。そのため、波形表示と同期マーク表示とを見比べて対応を判断することが必要な場合もあった。
【０００７】
また、同期マーク表示と合わせて同期音を出力することも知られている。例えばセントラルモニタのように複数の患者の生体情報波形をモニタリングする装置では、選択された患者について同期音を出力するように構成されるが、全患者について同じように同期マーク表示がなされていると、現在出力されている同期音がどの患者のどの波形に同期しているのかが非常にわかりにくいのが実情である。
【０００８】
本発明はこのような従来技術の問題点に鑑みなされたものであり、被検者から取得した少なくとも１つ生体情報の表示と、生体情報に同期して同期表示を行う生体情報表示装置であって、同期表示とその元になった生体情報の対応を容易かつ明確に把握可能な生体情報表示装置を提供することを目的とする。
【０００９】
【課題を解決するための手段】
上述の課題を解決するため、本発明による生体情報表示装置は、入力される複数の生体情報のうち、予め設定された複数の生体情報を同時に表示可能な生体情報表示装置であって、表示する複数の生体情報を表示する情報表示手段と、情報表示手段が表示する複数の生体情報の所定の１つに基づいて、当所定の生体情報の所定状態を示す同期マークの表示を行う同期表示手段とを有し、情報表示手段が、生体情報の種類に対応して予め定められた色分け表示を行うとともに、同期表示手段が、同期マークの表示色を、当同期表示の元となる所定の生体情報の表示色に等しい表示色とすることを特徴とする。
【００１０】
また、本発明による別の生体情報表示装置は、複数の患者に関する生体情報を同時に表示可能な生体情報表示装置であって、複数の患者毎に、予め設定された生体情報を表示する情報表示手段と、複数の患者毎に、波形表示手段が波形表示する生体情報に基づいて、当生体情報の所定状態を示す同期マークの表示を行う同期表示手段とを有し、同期表示手段が、ユーザによって入力される、複数の患者のいずれかを選択する選択指示に基づき、選択された患者に対応する同期マークの表示輝度よりも、他の患者に対する同期マークの表示輝度を低下させることを特徴とする。
【００１１】
【発明の実施の形態】
以下、添付図面を参照して、本発明をその好適な実施形態に基づき詳細に説明する。
■（生体情報システムの全体構成）
図１は本発明の生体情報表示装置の一実施形態としての生体情報取得表示システムの構成例を示す図である。
図１に示すように、本実施形態に係る生体情報取得表示システムは、ベッドサイドモニタ装置１００と、セントラルモニタ装置２００が、無線（有線でも可）により通信可能に接続された構成を有する。一般には１台のセントラルモニタ装置２００に対して複数のベッドサイドモニタ装置１００が接続可能であるが、図１においては説明を簡単にするため１台のベッドサイドモニタ装置１００のみを示している。
【００１２】
ベッドサイドモニタ装置１００は病室、手術室、集中治療室などに設置され、つねに患者のそばに置かれている。ベッドサイドモニタ本体１には、マルチポートモジュール２、ベッドサイドモニタ表示部３、テレメータ送信機４がそれぞれケーブルを介して接続されている。マルチポートモジュール２には心電ケーブル（呼吸センサを兼ねる）５、第１血圧（大動脈圧）観血血圧ケーブル６、第２血圧観血血圧ケーブル７、体温プローブ８、経皮的酸素飽和度百分率（ＳｐＯ２）及び脈波センサ９、非観血血圧測定用カフ１０がそれぞれ接続され、各々のセンサから収集した生体情報をマルチポートモジュール２に出力する。マルチポートモジュール２は各ケーブル、プローブ、センサ等からの生体情報に対し、増幅やデジタル変換等の処理を行い、ベッドサイドモニタ本体１に送信する。なお、本実施形態におけるマルチポートモジュール２は観血血圧測定用のケーブルを２つ有しており、２チャンネルの観血血圧測定が可能である。また、第１血圧観血血圧ケーブル６で測定する血圧は動脈圧に設定されている。また第２血圧観血血圧ケーブル７での測定部位については特に設定されていない。
【００１３】
生体情報はさらに、ベッドサイドモニタ本体１に内蔵された、不図示の信号処理回路によって所定の信号処理を施された後、ベッドサイドモニタ表示部３に表示される。信号処理回路は例えばＣＰＵがソフトウェアを実行することによって実現しても、ＤＳＰや専用回路等の信号処理用ハードウェアを用いて実現しても、それらの組み合わせで実現しても良い。
【００１４】
ベッドサイドモニタ本体１は、ベッドサイドモニタ装置１００全体の制御を行い、装置の各種機能を実現する。ベッドサイドモニタ本体１は例えば、ＣＰＵ、ＲＯＭ、ＲＡＭ、ＨＤＤ、各種インタフェース（ネットワークインタフェース、ビデオインタフェース、オーディオインタフェース、周辺機器インタフェース等）等を有するコンピュータ装置に、以下の機能を実現させるためのソフトウェアを実行させることによって実現することができる。
【００１５】
ベッドサイドモニタ表示部３はベッドサイドモニタ本体１に接続され、生体情報の表示を行う。また、画面上にはユーザインタフェースとしてのタッチパネルとが設けられる他、アラーム、同期音、タッチパネル操作時の動作確認用クリック音などを出力するスピーカが内蔵されている。
【００１６】
生体情報はベッドサイドモニタ表示部３の他、テレメータ送信機４にも供給される。なお、取得される生体情報が複数種存在する場合には、ベッドサイドモニタ表示部３へ供給される生体情報とテレメータ送信機４へ供給される生体情報は数、種類とも異なっていても良いし、同一であっても良い。本実施形態においては、取得した生体情報（患者の固有情報等、マルチポートモジュール２で実際に取得した情報以外の情報を含んでも良い）の全てをテレメータ送信機４へ供給しているものとする。
【００１７】
テレメータ送信機４は、ベッドサイドモニタ本体１から供給される生体情報を無線又は有線によってベッドサイドモニタ装置１００とは離れた位置にあるセントラルモニタ装置２００へ送信する。セントラルモニタ装置２００のセントラルモニタ本体１１は例えばベッドサイドモニタ本体１と同様に汎用コンピュータ装置により実現され、テレメータ受信機１２を通じてベッドサイドモニタ装置１００からの情報を受け取ると、必要に応じて所定の信号処理を施した後、生体情報をセントラルモニタ表示部１３に表示する。
【００１８】
セントラルモニタ表示部１３はセントラルモニタ本体１１に接続され、複数の患者についての生体情報の表示を行う。そのため、医療スタッフはセントラルモニタ表示部１３を観察することにより、各患者から離れた場所で、かつ集中的に複数の患者の状態を管理できる。また、ベッドサイドモニタ表示部３と同様に、画面上にはユーザインタフェースとしてのタッチパネルとが設けられる他、アラーム、同期音、タッチパネル操作時の動作確認用クリック音などを出力するスピーカが内蔵されている。
【００１９】
■（ベッドサイドモニタ表示部での生体情報表示）
次に、本実施形態におけるベッドサイドモニタ表示部３の表示形式について図２を参照して説明する。なお、当該表示はベッドサイドモニタ本体１が生成した表示データをベッドサイドモニタ表示部３が表示することによって実現される。ベッドサイドモニタ表示部３の表示領域２１は大きく分けて右側の数値表示領域２２と左側の波形表示領域２３に分かれている。
【００２０】
数値表示領域２２は、生体情報を数値的に表示する領域であり、本実施形態においては上から順に心拍数（ＨＲ）、動脈圧血圧値（ＡＲＴ）、第２観血血圧値（ＢＰ２）、経皮的酸素飽和度百分率（ＳｐＯ２）および脈波脈拍数（ＰＲ）、非観血血圧値（ＮＩＢＰ）、呼吸数（ＲＲ）の各表示ブロック２２１〜２２６が形成され、各ブロック内にはそれぞれの数値と、関連する他の情報及び後述する同期マークとが表示される。なお、数値表示領域２２に表示する数値情報の数や種類はこれらに限定されるものではなく、適宜設定可能である。
【００２１】
波形表示領域２３は生体情報波形を表示する領域であり、本実施形態においては上から順に心電図波形２３１、動脈圧波形２３２、第２観血血圧波形２３３、経皮的酸素飽和度波形（ＳｐＯ２波形）２３４、インピーダンス呼吸波形（ＲＥＳＰ）２３５が表示される。なお、同時に表示可能な波形数や、表示を行う波形の種類については任意に設定可能である。
【００２２】
このほか、表示領域２１には患者の氏名や性別、年齢や、現在の日時を始め、他の情報や操作用のボタンなどが表示されるが、これらは本発明と直接関係しないため説明は省略する。
【００２３】
ベッドサイドモニタ表示部３の表示領域２１にはタッチパネルが設けられており、表示領域を指で押圧することでベッドサイドモニタ本体１に対する各種設定を行うことが可能である。設定の方法は例えば階層的なメニュー画面から所望の項目を選択する等、ＧＵＩにおいて一般に使用される方法を用いることが可能である。以下に説明する同期するパラメータの選択も、タッチパネルのメニュー操作から行なえるようになっている。
【００２４】
数値表示領域２２の各ブロック内の表示色と、波形表示領域２３における波形の表示色はそれぞれ対応付けられており、例えば心電図波形２３１および心拍数ブロック２２１は緑色、第１観血血圧波形２３２と動脈圧血圧値ブロック２２２は朱色、第２観血血圧波形２３３と第２観血血圧値ブロック２２３は水色、経皮的酸素飽和度波形２３４および経皮的酸素飽和度百分率および脈波脈拍数ブロック２２４は黄色、その他の波形及び数値項目、すなわち図２の例ではインピーダンス呼吸波形２３５および非観血血圧値ブロック２２５、呼吸数ブロック２２６、体温値は白色である。これら表示色は例えばタッチパネルを用いたメニュー操作によって変更が可能である。
【００２５】
本実施形態においては、数値表示領域２２の表示ブロックのうち、同期マークを生成可能な生体情報に対応するブロック毎に、同期マークが表示可能となっている。具体的には、心拍数ブロック２２１、第１観血血圧値（動脈圧血圧値）ブロック２２２、第２観血血圧値ブロック２２３及び経皮的酸素飽和度百分率および脈波脈拍数ブロック２２４の各々に、同期マーク２４〜２７を表示可能となっている。図２では便宜上すべての同期マーク２４〜２７が表示された状態を図示しているが、実際の動作では同期マーク２４〜２７のうち、実際に同期マーク生成の元になっている波形の種別に対応する１つだけが表示される。
【００２６】
呼吸、体温、非観血血圧については、上述の生体情報と比較して同期を取るのに適しているとはいえないため、本実施形態においてはこれら生体情報に対応する同期マークは用意されない。
【００２７】
本実施形態において、同期マーク２４〜２７は基本的に対応する波形の波高値が極大となる位相に同期して点灯（表示）され、それ以外では消灯（非表示）されるため、点滅表示となる。具体的には、心電波形同期マーク２４は心電波形２３１のＲ波に同期して点灯し、動脈圧波形同期マーク２５は動脈圧波形２３２の最高圧、第２観血血圧波形同期マーク２６は第２観血血圧波形２３３の最高圧に、脈波同期マーク２７は経皮的酸素飽和度（ＳｐＯ２）の波高値が極大となる瞬間に、それぞれ同期して点灯する。なお、脈波同期マーク２７は、ＳｐＯ２の波形に基づいて表示を行うが、便宜上脈波脈拍数の表示欄に表示を行っている。なお、同期マークは必ずしも波形の極大点に基づいて表示する必要はなく、極小点を始め他の特徴点に基づいて表示しても良い。
【００２８】
どの波形（生体情報値）に対する同期マークを表示させるかは、タッチパネルを用いた設定により変更できる。さらに設定によって、ベッドサイドモニタ表示部３に内蔵されるスピーカ（図示せず）から、同期マークの表示に同期して同期音を発生させることもできる。
【００２９】
同期マーク２４〜２７の拡大図を図３に示す。図から明らかなように、心電波形同期マーク２４、動脈圧波形同期マーク２５、第２観血血圧波形同期マーク２６、脈波同期マーク２７はそれぞれ、同期マークの種類を直感的に把握しやすい形状を有している。
【００３０】
このように、本実施形態においては、ベッドサイドモニタ装置での生体情報表示において、同期マークを対応する生体情報毎に個別表示可能とした上、表示色を対応する生体情報波形の表示色と合わせることにより、表示中の同期マークがどの生体情報に対応するものであるのかが容易かつ明確に把握可能となる。さらに、同期マークの形状も対応する生体情報の種類を示唆する形状とすることで、生体情報との対応がよりいっそう明確になる。
【００３１】
■（セントラルモニタ表示部での生体情報表示）
次に、本実施形態におけるセントラルモニタ表示部１３の表示形式について図４を参照して説明する。なお、当該表示は複数のベッドサイドモニタ本体１から受信した生体情報をセントラルモニタ本体１１が処理することによって生成した表示データをセントラルモニタ表示部１３が表示することによって実現される。なお、セントラルモニタ本体１１は、ベッドサイドモニタ装置１００から受信する同期表示に必要な情報を用いてセントラルモニタ表示部１３において同期表示を行っても良いし、ベッドサイドモニタ装置１００からはベッドサイドモニタ側で同期表示に用いている生体情報の種別情報のみ受信し、この生体情報からセントラルモニタ本体１１で同期表示用のデータを生成しても良い。
【００３２】
図４に、セントラルモニタ表示部１３における表示例を示す。ここでは説明の簡略化のため４人分の情報が表示され、また波形表示は心電図波形のみの場合を図示しているが、上述のように各患者のベッドサイドモニタ装置１００に接続されているテレメータ送信機４は取得したすべての生体情報を送信しているため、心電図波形以外の波形表示も可能である。また、患者毎に複数の波形を表示することも可能である。
【００３３】
図４に示すように、セントラルモニタ表示部１３の表示領域４１は、患者毎に一行分の表示領域が割り当てられ、各表示領域はベッドサイドモニタ表示部３での表示と同様、数値表示領域４２と波形表示領域４３とに分かれている。
【００３４】
ここでは、全患者について波形表示領域４３には心電図波形を、数値表示領域４２には心拍数（ＨＲ）及び心電波形同期マーク（４４〜４７）及び、動脈血圧値他の数値項目が表示されるものとする。
【００３５】
なお、セントラルモニタ表示部１３において各患者について表示する生体情報は任意であり、全患者（床）について必ずしも同じで無くてよい。また、図４に示すように、数値表示領域４２に表示する項目の種類についても、患者毎に設定することが可能である。ただし、原則としてはベッドサイドモニタ装置１００側で表示する同期マークと同じ種別の同期マークが表示されるように波形種別及び数値表示項目を決定することが好ましい。
【００３６】
セントラルモニタ表示部１３の表示領域４１にもベッドサイドモニタ表示部３と同様にタッチパネルが設けられており、ここを指で押圧することでメニューウィンドウが開き、各種の設定が可能である。また各患者に対応する数値表示領域４２の領域内を押圧することにより、患者の選択を行うことができる。さらに、セントラルモニタ表示部１３においても、同期音を発生するためのスピーカをあらかじめ内蔵している。
【００３７】
図４においては、上から３番目に表示されている患者に対応する数値表示領域４２１が押圧され、選択された状態を示している。図に示すように、本実施形態においては、選択された患者を明確にするため、選択された患者の波形表示領域４３１内の任意部分と、数値表示領域４２１の同期マークについての表示が、選択されていない患者に対する表示と視覚的に異なるようにする。
【００３８】
本実施形態では、波形表示領域４３１内の、ベッド番号を表すラベル「ＢＥＤ−００３」を反転表示するとともに、数値表示領域４２１内の同期マーク４６の表示輝度に対し、選択されていない患者に対応する同期マーク４４、４５、４７の輝度を低下させる（図４では、表現上の理由により、選択された患者の同期マーク４６を黒塗りで、他の患者の同期マーク４４、４５及び４７を白抜きで示している）。この際、選択されていない患者に対応する数値表示領域内に表示される同期マーク以外の項目については、輝度を変えないことが好ましい。これは、表示されている数値は管理上重要な意味を持つため、これら重要な情報についての視認性を低下させることは望ましくないという理由による。
【００３９】
また、選択された患者についての表示色を他の患者と別の色に変えるという方法も考えられるが、上述したように、表示色は波形の種別と対応付けられていたり、規格（例えばＪＩＳ  Ｔ０６０１−１）や識別性などの要因によって、表示色として利用可能な色は限られているため、反転表示や輝度の変化といった、色自体を変えずに視覚的な差異を明確にする方法の方が、誤認防止や識別性の点から好ましいと考えられる。
【００４０】
従って、ベッドサイドモニタ表示部３の表示において説明したように、心電図波形および心拍数表示ブロックの表示色が緑色に設定されている場合、第３床（ＢＥＤ−００３）の同期マーク４６は通常輝度の緑色、それ以外の床（ＢＥＤ−００１、００２、００４）の同期マーク４４、４５及び４７は低輝度の緑色として表示される。もちろん、選択された患者の同期マーク４６の輝度を上げることによって視覚的な差異を持たせても良いが、視認性の点からは非選択患者の同期マーク４４、４５及び４７の輝度を低下させる方が好ましい。
【００４１】
同期音を出力する場合、一般には選択された患者に対する同期音を出力するが、このように選択された患者が明確になるように表示を行うことにより、セントラルモニタ表示部１３から発生している同期音がどの患者の心電図波形に同期しているのか、一目瞭然となる。
【００４２】
図４の状態において、「ＢＥＤ−００４」に対応する数値表示領域４２２を指で押圧すると、第４床が選択され、波形表示領域４３２内の「ＢＥＤ−００４」表示が反転するとともに、第４床の同期マーク４７が通常の緑色表示になり、一方、第３床については波形表示領域４３１内の「ＢＥＤ−００３」表示が通常表示に戻るとともに、同期マーク４６が暗い緑色に変化する。同期音の出力が設定されている場合には、出力される同期音が、第３床の心電図波形に対する同期音から、第４床の心電図波形に同期した同期音に変更される。
【００４３】
なお、本実施形態では同期マークを点滅表示するものとしたが、波高値がはっきりしない場合や点滅間隔が長い場合に消灯状態が続くのを防ぐため、点滅ではなく、大きさが段階的に変化するように表示してもよい。
【００４４】
また、セントラルモニタ表示部１３において表示される同期マークの形状についても、ベッドサイドモニタ表示部３での表示と同様に、対応する生体情報によって変化させることも可能である。
【００４５】
また、同期マークの形状は本実施形態に限定されるものではなく種々の変更が可能であり、また同じ形状を複数種の生体情報に対応付けてもよい。また、同期マークを別途設ける代わりに、「ＨＲ」や「ＰＲ」など、ラベル表示を同期マークとして用いることも可能である。すなわち、これらラベルが生体情報に同期して点滅表示されてもよい。この場合、セントラルモニタ表示部１３においては「ＢＥＤ−００１」や患者名など、他の患者固有の表示要素を用いても良い。
【００４６】
なお、表示例として示した表示領域の大きさや配置、実際に表示される数値、文字列、アイコン等は、開示された位置や大きさに限られるものではなく、任意に設定することが可能である。
【００４７】
なお、上述の実施形態においては、ベッドサイドモニタ装置１００とセントラルモニタ装置２００の両方を有する生体情報取得表示システムについて説明したが、本発明の生体情報表示装置及び生体情報表示方法はいずれか一方のみによって実施されても良いことは言うまでもない。
【００４８】
さらに、上述の実施形態においては、同期マークを数値表示領域に表示する場合のみを説明したが、必ずしも同期マークを数値表示領域に表示する必要はなく、波形表示領域内の、波形と重ならない領域に上述の同期マークを表示する構成であってもよい。
【００４９】
同様に、上述の実施形態においては、生体情報を波形表示する領域と数値表示する領域の両方を有するベッドサイドモニタ装置及びセントラルモニタ装置に着いてのみ説明したが、本発明に係る生体情報表示装置は必ずしも波形表示と数値表示の両方が必要というわけではない。例えば、波形表示を行わないようなモニタ装置であれば、生体情報の数値表示の色と、その生体情報に基づく同期マークの表示色を等しくすればよい。逆に、生体情報の波形表示のみ行う場合には、その生体情報に基づく同期マークの表示色を波形表示と同色にすればよい。
【００５０】
また、セントラルモニタ装置２００に接続されるモニタ装置は、ベッドサイドモニタ装置に限らず、被検者に装着されたテレメータ装置であってもよい。この場合、テレメータ装置側で同期マーク表示用の信号処理機能を有していなければ、受信した生体情報からセントラルモニタ本外１１において同期マーク表示のための信号処理を行えばよい。
【００５１】
また、上述の実施形態における生体情報を取得するための構成（マルチポートモジュール２及び各種センサ等）については必ずしも本発明に必要な構成ではなく、予め記録された生体情報を再生して表示する装置においても本発明を適用可能であることは言うまでもない。
【００５２】
また、ユーザ入力装置としてタッチパネルを用いる場合のみを説明したが、ハードウェアボタンやキー、トラックボール、マウスなど、他の入力装置を用いてもよい。
【００５３】
【発明の効果】
以上説明したように、本発明によれば、生体情報の表示において、同期表示とその元になった生体情報の対応を容易かつ明確に把握可能とすることが可能となる。
【図面の簡単な説明】
【図１】本発明の一実施形態に係る生体情報システムの構成例を示す図である。
【図２】図１におけるベッドサイドモニタ表示部３の表示例を示す図である。
【図３】本発明の実施形態において用いられる同期マークの形状例を示す図である。
【図４】図１におけるセントラルモニタ表示部１３の表示例を示す図である。
【符号の説明】
１  ベッドサイドモニタ本体
２  マルチパラメータモジュール
３  ベッドサイドモニタ表示部
４  テレメータ送信機
１１  セントラルモニタ本体
１２  テレメータ受信機
１３  セントラルモニタ表示部
【図１】
2004194996.tif 000003
【図２】
2004194996.tif 000004
【図３】
2004194996.tif 000005
【図４】
2004194996.tif 000006